(57)【要約】【課題】エネルギ消費が抑制された電池温度調節装置を提供する。【解決手段】充電システム１は、電動機器３に設けられた電池３１に充電するための電力回路２１を備える。充電システム１は、電動機器３に設けられた電池３１と熱的に結合された機器通路３３に熱媒体１４を供給する熱機器２２を備える。熱機器２２は、電池温度調節装置を提供する。熱機器２２は、熱媒体１４を流すための媒体通路２３を備える。熱機器２２は、熱媒体１４と土地との間において直接的、または間接的に熱交換を提供する地下熱交換器５１を備える。熱機器２２は、土地の地熱を電池３１の温度調節に利用可能とする。この結果、エネルギ消費が抑制された電池温度調節装置が提供される。【選択図】図２
2020089020.tif 000002
【特許請求の範囲】
【請求項１】
電動機器（３）に設けられた電池（３１）と熱的に結合された機器通路（３３）に熱媒体（１４）を供給する電池温度調節装置において、
前記熱媒体を流すための媒体通路（２３）と、
前記熱媒体と土地との間において直接的、または間接的に熱交換を提供する地下熱交換器（５１）とを備える電池温度調節装置。
【請求項２】
前記地下熱交換器（５１）は、前記熱媒体と土地との間で直接的に熱交換を提供する請求項１に記載の電池温度調節装置。
【請求項３】
さらに、前記地下熱交換器（５１）をバイパスするバイパス弁（５２）を備える請求項１に記載の電池温度調節装置。
【請求項４】
さらに、前記熱媒体と冷媒との熱交換を提供する利用側熱交換器（４２）を含む冷凍サイクル（４０）を備える請求項１から請求項３のいずれかに記載の電池温度調節装置。
【請求項５】
前記冷凍サイクルは、前記冷媒と大気との間で熱交換を提供する非利用側熱交換器を備える請求項４に記載の電池温度調節装置。
【請求項６】
前記地下熱交換器（２５０、５１）は、前記冷凍サイクルの非利用側熱交換器として設けられており、前記冷媒と土地との間で熱交換を提供する請求項４に記載の電池温度調節装置。
【請求項７】
前記熱媒体は、水道から供給される水である請求項１から請求項６のいずれかに記載の電池温度調節装置。
【請求項８】
前記熱媒体は、住居または事業所の室内の空気である請求項１から請求項６のいずれかに記載の電池温度調節装置。
【請求項９】
前記電動機器に接続され、電力接続を提供するケーブル（１２）と、
前記電動機器に接続され、前記熱媒体の接続を提供するケーブル（５１５）とを備える請求項１から請求項８のいずれかに記載の電池温度調節装置。
【請求項１０】
前記熱媒体の接続が提供されているとき、急速充電を許容し、
前記熱媒体の接続が提供されていないとき、急速充電を許容しない制御装置（２８）を備える請求項９に記載の電池温度調節装置。
【発明の詳細な説明】
【技術分野】
【０００１】
この明細書における開示は、電池温度調節装置に関する。
【背景技術】
【０００２】
特許文献１は、電池温度を調節する電池温度調節装置を開示する。従来技術として列挙された先行技術文献の記載内容は、この明細書における技術的要素の説明として、参照により援用される。
【先行技術文献】
【特許文献】
【０００３】
【特許文献１】特開２０１３−９９０２４号公報
【発明の概要】
【発明が解決しようとする課題】
【０００４】
従来技術の構成では、電池の温度を調節するために過度のエネルギを消費する。上述の観点において、または言及されていない他の観点において、電池温度調節装置にはさらなる改良が求められている。
【０００５】
開示されるひとつの目的は、エネルギ消費が抑制された電池温度調節装置を提供することである。
【課題を解決するための手段】
【０００６】
ここに開示された電池温度調節装置は、電動機器（３）に設けられた電池（３１）と熱的に結合された機器通路（３３）に熱媒体（１４）を供給する電池温度調節装置において、熱媒体を流すための媒体通路（２３）と、熱媒体と土地との間において直接的、または間接的に熱交換を提供する地下熱交換器（５１）とを備える。
【０００７】
開示される電池温度調節装置によると、土地の地熱を電池の温度調節に利用可能となるから、エネルギ消費が抑制された電池温度調節装置を提供することができる。
【０００８】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【０００９】
【図１】充電システムを示すブロック図である。
【図２】第１実施形態の充電システムを示すブロック図である。
【図３】地下の温度を示すグラフである。
【図４】第２実施形態の充電システムを示すブロック図である。
【図５】第３実施形態の充電システムを示すブロック図である。
【図６】第４実施形態の充電システムを示すブロック図である。
【図７】第５実施形態の充電システムを示すブロック図である。
【発明を実施するための形態】
【００１０】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１１】
第１実施形態
図１において、充電システム１は、地上設備２と、電動機器３とを有する。地上設備２は、電動機器３の主要な保管場所、または電動機器３が長時間にわたって置かれる場所に設置されている。地上設備２は、多くの場合、利用者の住居、または利用者が利用する事業所（店舗を含む）に設置されている。地上設備２は、電池温度調節装置を提供する。電動機器３は、図示の例では、電動車両が例示されている。電動機器３の語は、広義に解釈されるべきである。電動機器３は、電動乗り物、可搬電池、アミューズメント機器、またはシミュレーション機器を含む。電動機器３が電動乗り物である場合、電動乗り物は、地上走行車両、船舶、航空機を含む。電動機器３が地上走行車両である場合、地上走行車両は、電気自動車、ハイブリッド自動車、プラグインハイブリッド自動車など多様な名称で呼ばれる。電動機器３は、少なくともひとつの電池３１（ＢＡＴＴ）を有する。電池３１は、二次電池である。電動機器３が電動車両である場合、電池３１は、走行用動力源を提供する。電池３１は、例えば、リチウムイオン電池である。
【００１２】
地上設備２から電動機器３が充電される場合、電力を供給するための電力接続が形成される。図示の例では、電動機器３と充電ポスト１１とは、ケーブル１２とコネクタ１３とを介して有線により接続されている。ケーブル１２は、充電ポスト１１から延びている。コネクタ１３は、ケーブル１２の先端に設けられており、電動機器３に設けられたレセプタクルに接続されている。図示の例では、電動機器３と充電ポスト１１とは、ケーブル１２内の電力線を通して電力接続が形成されている。電力接続は、電磁結合によって無線により形成されてもよい。この場合、ケーブル１２およびコネクタ１３は、後述する熱媒体１４の流路だけを提供する。
【００１３】
さらに、充電システム１は、電池３１の温度を調節する。充電システム１は、電動機器３設けられた電池３１の温度を調節するための熱機器２２（ＴＨ）を有している。電池３１は、多くの場合、適正温度範囲を有する。電池３１の温度は、充電中においても、適正温度範囲内に維持されることが望ましい。電池３１が、リチウムイオン電池である場合、電池３１の温度は、例えば、０℃以上５０℃以下の範囲内に維持することが求められる。環境温度が高温となる夏季には、充電に伴う発熱によって、電池３１の温度が５０℃を超える場合がある。この場合、電池３１を効率的に充電するために、電池３１は冷却される。環境温度が低温となる冬季には、電池３１の温度が０℃を下回る場合がある。この場合、電池３１を効率的に充電するために、電池３１は加熱される。
【００１４】
図２において、電動機器３は、電池３１と、電池３１を充電するための充電回路３２（ＶＨＣＨ）を備える。充電回路３２は、電力接続を介して供給される電力によって電池３１を充電する。
【００１５】
電池３１は、電池３１の温度を調節するための熱媒体１４の機器通路３３を有する。機器通路３３は、電池３１の全体の温度、かつ、電池３１のすべての部位の温度を適正温度範囲内に維持するように、電池３１に対して設けられている。機器通路３３は、電池３１と熱的に結合されている。図示の例では、機器通路３３は、電池３１を囲むように配置されている。図示は例示である。機器通路３３は、複数に分岐していてもよい。機器通路３３は、電池３１を収容した容器内の空気温度を調節する熱交換器を備えていてもよい。
【００１６】
熱媒体１４は、ケーブル１２およびコネクタ１３を介して供給される。機器通路３３は、コネクタ１３の脱着によって開閉されることがあるから、熱媒体１４は系の開閉に耐える媒体である。熱媒体１４としては、液体（冷媒、水、または水系不凍液）、または気体（空気、またはガス）を利用することができる。この実施形態では、熱媒体１４は、水系不凍液である。熱媒体１４として液体が利用される場合、ケーブル１２に含まれる通路として比較的小径の管を利用可能である。
【００１７】
地上設備２は、電力回路２１（ＬＮＣＨ）を有する。電力回路２１は、ケーブル１２およびコネクタ１３を介して充電回路３２に電力を供給する。電力回路２１は、いわゆる商用の電力、または小規模発電施設の発電電力を利用する。小規模発電施設としては、太陽電池、風力発電設備、燃料電池などを利用可能である。電力回路２１と充電回路３２とは、電池３１を充電するための充電装置を提供する。
【００１８】
熱機器２２は、機器通路３３に熱媒体１４を少なくとも供給する。熱機器２２は、機器通路３３から、熱媒体１４を回収する。熱機器２２は、機器通路３３に熱媒体１４を循環させる。熱機器２２は、熱媒体１４を流すための媒体通路２３を有する。媒体通路２３は、機器通路３３とともに循環通路を形成している。媒体通路２３は、リザーバ２４（ＲＳＶ）を有する。リザーバ２４は、熱媒体１４を貯留する。媒体通路２３は、ポンプ２５を有する。ポンプ２５は、媒体通路２３と機器通路３３とに熱媒体１４を循環させる。
【００１９】
熱機器２２は、熱交換器２６、２７を有する。熱交換器２６、２７は、媒体通路２３に設けられている。熱交換器２６、２７は、熱媒体１４と大気との間における熱交換を提供する。熱交換器２６、２７は、熱媒体１４を加熱または冷却する熱交換器として利用される。熱交換器２６、２７における熱交換能力は、図示されない送風機によって風量を調節することにより、調節可能である。大気の温度が電池３１の温度より低く、かつ、電池３１の温度を低下させる場合、熱交換器２６、２７は、熱媒体１４の温度を低下させるように大気に熱を放出する。大気の温度が電池３１の温度より高く、かつ、電池３１の温度を上昇させる場合、熱交換器２６、２７は、熱媒体１４の温度を上昇させるように大気から熱を吸収する。
【００２０】
熱機器２２は、さらに、冷凍サイクル４０を備える。冷凍サイクル４０は、熱媒体１４を冷却、および／または、加熱するために利用される。冷凍サイクル４０は、低温、および／または、高温を提供する。冷凍サイクル４０は、ヒートポンプサイクルとも呼ばれる。冷凍サイクル４０は、蒸気圧縮式の冷凍サイクルである。冷凍サイクル４０は、相変化を伴う冷媒によって、熱の移動を生成する。
【００２１】
冷凍サイクル４０は、循環通路４１、利用側熱交換器４２、非利用側熱交換器４３、圧縮機４４、および減圧器を備える。利用側熱交換器４２は、媒体通路２３を流れる熱媒体１４と冷媒との間の熱交換を提供する。利用側熱交換器４２は、媒体通路２３の往路に設けられている。これに代えて、利用側熱交換器４２は、復路に設けられていてもよい。非利用側熱交換器４３は、冷媒と大気との間の熱交換を提供する。
【００２２】
熱媒体１４を加熱する場合、圧縮機４４は、非利用側熱交換器４３から冷媒を吸入し、利用側熱交換器４２に冷媒を吐出する。利用側熱交換器４２は、凝縮器として機能し、冷媒を凝縮させる。このとき、熱媒体１４が加熱される。利用側熱交換器４２を出た冷媒は、減圧器によって減圧され、非利用側熱交換器４３に供給される。非利用側熱交換器４３は、蒸発器として機能し、冷媒を蒸発させる。
【００２３】
熱媒体１４を冷却する場合、圧縮機４４は、利用側熱交換器４２から冷媒を吸入し、非利用側熱交換器４３に冷媒を吐出する。非利用側熱交換器４３は、凝縮器として機能し、冷媒を凝縮させる。非利用側熱交換器４３を出た冷媒は、減圧器によって減圧され、利用側熱交換器４２に供給される。利用側熱交換器４２は、蒸発器として機能し、冷媒を蒸発させる。このとき、熱媒体１４が冷却される。
【００２４】
熱機器２２は、さらに、地熱機器５０を備える。地熱機器５０は、熱媒体１４と土地（土および地下水を含む）との間の熱交換を提供する。地熱機器５０は、電池３１の温度調節への地熱の利用を可能とする。地熱機器５０は、地下に埋設された地下熱交換器５１を有する。地下熱交換器５１は、地下１０メートル程度の深さに到達するように埋設されている。地下熱交換器５１は、熱媒体１４と土地との間において直接的、または間接的に熱交換を提供する。この実施形態における地下熱交換器５１は、熱媒体１４と土地との間で直接的に熱交換を提供する。
【００２５】
地熱機器５０は、バイパス弁５２を備える。バイパス弁５２は、地下熱交換器５１をバイパスする通路を開閉する。バイパス弁５２は、熱媒体１４が地下熱交換器５１を通過する場合と、熱媒体１４が地下熱交換器５１を通過することなくバイパスする場合とを切り換える切換弁である。
【００２６】
バイパス弁５２が閉じているとき、熱媒体１４は、地下熱交換器５１を通過する。このとき、地下熱交換器５１は、熱媒体１４と土地との熱交換を提供する。熱媒体１４の温度が土地よりも高い場合、熱媒体１４は土地によって冷却される。熱媒体１４の温度が土地よりも低い場合、熱媒体１４は土地によって加熱される。
【００２７】
図３は、冬季の気温が０℃となり、下記の気温が３０℃となる地域における地中の温度分布を示すグラフである。地中の温度は、地表では気温の影響を受けて変動する。地中の温度は、地下５メートルを超えると、一定温度に安定する。このように、地熱は、気温の影響が抑制された、安定した温度の熱源（温熱源、および冷熱源）を提供する。
【００２８】
図２に戻り、熱機器２２は、熱媒体１４と地熱との熱交換を提供することにより、電池３１の温度調節への地熱の利用を可能とする。しかも、熱媒体１４と地熱との間の直接的な熱交換を提供するから、少ないエネルギ消費によって熱媒体１４の温度を調節し、電池３１を温度調節することができる。
【００２９】
地上設備２は、さらに、制御装置２８（ＣＮＴ）を備える。制御装置２８は、電力回路２１、および熱機器２２を制御する。制御装置２８は、例えば、電力回路２１からの供給電力を電池３１の温度に応じて調節する。これにより、効率的な充電を提供する。制御装置２８は、例えば、電池３１の温度を適正温度範囲内に調節するように熱機器２２を制御する。制御装置２８は、例えば、ポンプ２５、圧縮機４４、バイパス弁５２、および送風機を制御する。送風機は、熱交換器２６、２７、および／または非利用側熱交換器４３を通して大気を送風する。
【００３０】
この明細書における制御装置は、電子制御装置（ＥＣＵ：Ｅｌｅｃｔｒｏｎｉｃ  Ｃｏｎｔｒｏｌ  Ｕｎｉｔ）とも呼ばれる場合がある。制御装置、または制御システムは、（ａ）ｉｆ−ｔｈｅｎ−ｅｌｓｅ形式と呼ばれる複数の論理としてのアルゴリズム、または（ｂ）機械学習によってチューニングされた学習済みモデル、例えばニューラルネットワークとしてのアルゴリズムによって提供される。
【００３１】
制御装置は、少なくともひとつのコンピュータを含む制御システムによって提供される。制御システムは、データ通信装置によってリンクされた複数のコンピュータを含む場合がある。コンピュータは、ハードウェアである少なくともひとつのプロセッサ（ハードウェアプロセッサ）を含む。ハードウェアプロセッサは、下記（ｉ）、（ｉｉ）、または（ｉｉｉ）により提供することができる。
【００３２】
（ｉ）ハードウェアプロセッサは、少なくともひとつのメモリに格納されたプログラムを実行する少なくともひとつのプロセッサコアである場合がある。この場合、コンピュータは、少なくともひとつのメモリと、少なくともひとつのプロセッサコアとによって提供される。プロセッサコアは、ＣＰＵ：Ｃｅｎｔｒａｌ  Ｐｒｏｃｅｓｓｉｎｇ  Ｕｎｉｔ、ＧＰＵ：Ｇｒａｐｈｉｃｓ  Ｐｒｏｃｅｓｓｉｎｇ  Ｕｎｉｔ、ＲＩＳＣ−ＣＰＵなどと呼ばれる。メモリは、記憶媒体とも呼ばれる。メモリは、プロセッサによって読み取り可能な「プログラムおよび／またはデータ」を非一時的に格納する非遷移的かつ実体的な記憶媒体である。記憶媒体は、半導体メモリ、磁気ディスク、または光学ディスクなどによって提供される。プログラムは、それ単体で、またはプログラムが格納された記憶媒体として流通する場合がある。
【００３３】
（ｉｉ）ハードウェアプロセッサは、ハードウェア論理回路である場合がある。この場合、コンピュータは、プログラムされた多数の論理ユニット（ゲート回路）を含むデジタル回路によって提供される。デジタル回路は、ロジック回路アレイ、例えば、ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ、ＦＰＧＡ：Ｆｉｅｌｄ  Ｐｒｏｇｒａｍｍａｂｌｅ  Ｇａｔｅ  Ａｒｒａｙ、ＰＧＡ：Ｐｒｏｇｒａｍｍａｂｌｅ  Ｇａｔｅ  Ａｒｒａｙ、ＣＰＬＤ：Ｃｏｍｐｌｅｘ  Ｐｒｏｇｒａｍｍａｂｌｅ  Ｌｏｇｉｃ  Ｄｅｖｉｃｅなどとも呼ばれる。デジタル回路は、プログラムおよび／またはデータを格納したメモリを備える場合がある。コンピュータは、アナログ回路によって提供される場合がある。コンピュータは、デジタル回路とアナログ回路との組み合わせによって提供される場合がある。
【００３４】
（ｉｉｉ）ハードウェアプロセッサは、上記（ｉ）と上記（ｉｉ）との組み合わせである場合がある。（ｉ）と（ｉｉ）とは、異なるチップの上、または共通のチップの上に配置される。これらの場合、（ｉｉ）の部分は、アクセラレータとも呼ばれる。
【００３５】
以上に述べた実施形態によると、電池３１の温度調節への地熱の利用が可能となる。この結果、温度が安定している地熱を利用できるため、エネルギ消費が抑制された電池温度調節装置を提供することができる。
【００３６】
第２実施形態
この実施形態は、先行する実施形態を基礎的形態とする変形例である。上記実施形態では、熱媒体１４と地熱との間で直接的な熱交換が提供される。これに代えて、この実施形態では、熱媒体１４と地熱との間で間接的な熱交換が提供される。
【００３７】
図４に図示されるように、地熱機器２５０の地下熱交換器５１は、冷凍サイクル４０の非利用側熱交換器として設けられている。この場合、地下熱交換器５１は、冷凍サイクルの冷媒と土地との間で熱交換を提供する。言い換えると、地熱と冷凍サイクル４０の冷媒との間で一次的な熱交換が提供される。さらに、冷凍サイクル４０の冷媒と熱媒体１４との間で二次的な熱交換が提供される。この結果、熱媒体１４と地熱との間で間接的な熱交換が提供される。
【００３８】
この実施形態では、地熱を利用するために圧縮機４４を機能させる。この結果、地熱を利用するためのエネルギ消費がやや多い。その一方で、地熱を冷熱源として熱媒体１４を冷却する運転と、地熱を温熱源として熱媒体１４を加熱する運転との両方を提供することができる。
【００３９】
第３実施形態
この実施形態は、先行する実施形態を基礎的形態とする変形例である。上記実施形態では、熱媒体１４として水系不凍液が利用されている。これに代えて、この実施形態では、熱媒体１４は、地上設備２が設置された住居、または事業所において利用可能な水道から供給される水である。
【００４０】
図５に図示されるように、媒体通路２３に供給される熱媒体１４は、地域において供給されている上水道から供給可能な水である。この実施形態では、熱媒体１４としての水は、例えば、蛇口３６１から供給される。蛇口３６１は、電磁弁３６２によって開閉可能に構成されている。電磁弁３６２は、制御装置２８によって制御される。熱媒体１４としての水の温度は、冷凍サイクル４０、および／または、地熱機器５０によって調節可能である。
【００４１】
媒体通路２３は、機器通路３３を経由した後の水を循環利用しない。水は、廃棄、または再利用される。媒体通路２３は、機器通路３３を経由した後の水を循環利用してもよい。水道は、河川水、または地下水でもよい。また、水道は、有料、無料といった価格を問わない。また、水道は、公的機関により供給されるものでも、営利組織によって供給されるものでも、私的に供給されるものでもよい。
【００４２】
この実施形態によると、温度が安定している水道の水を利用できるため、エネルギ消費が抑制された電池温度調節装置を提供することができる。なお、住居において利用された水を熱媒体１４として再利用してもよい。例えば、風呂の残り湯、炊事に利用した水などを、直接的に、または間接的に熱媒体１４として利用してもよい。
【００４３】
第４実施形態
この実施形態は、先行する実施形態を基礎的形態とする変形例である。上記実施形態では、熱媒体１４として液体が利用されている。これに代えて、この実施形態では、熱媒体１４は、地上設備２が設置された住居、または事業所の室内の空気である。
【００４４】
図６に図示されるように、媒体通路２３は、熱媒体１４として、空気を流すことができる。媒体通路２３は、比較的太い管、ダクトによって提供されている。媒体通路２３は、機器通路３３へ向かう往路のみによって提供されている。機器通路３３は、電動機器３において開放されている。つまり、電池３１の温度を調節するために熱機器２２から供給された空気は、電動機器３において環境へ放出される。
【００４５】
住居、または事業所の空気は、冷凍サイクル４４０を含む空調装置によって温度調節されている。冷凍サイクル４４０は、循環通路４４１、利用側熱交換器４４２、圧縮機４４４、および減圧器を備える。冷凍サイクル４４０は、非利用側熱交換器としての地熱機器５０（地下熱交換器５１）を備える。
【００４６】
熱機器２２は、送風機４６３を備える。送風機４６３は、住居、または事業所の空気を熱媒体１４として媒体通路２３へ送る。空気は、媒体通路２３から機器通路３３へ供給され、電池３１の温度を調節する。
【００４７】
この実施形態によると、ヒトにとって快適な温度に調節された後の空気を利用できるため、エネルギ消費が抑制された電池温度調節装置を提供することができる。さらに、媒体通路２３は、復路を備えないため、比較的簡単な構成で電池温度調節装置を提供することができる。
【００４８】
第５実施形態
この実施形態は、先行する実施形態を基礎的形態とする変形例である。上記実施形態では、共通のケーブル１２によって電力接続と、熱媒体１４の通路との両方を提供している。これに代えて、電力接続のためのケーブル１２と、熱媒体１４の通路のためのケーブル５１５とを別々に設けてもよい。
【００４９】
図７に図示されるように、電動機器３と地上設備２との間には、２つのケーブル１２、５１５が配置されてもよい。ケーブル１２およびコネクタ１３は、電力接続を提供する。これに対して、ケーブル５１５およびコネクタ５１６は、熱媒体１４の通路を提供する。
【００５０】
このような構成では、制御装置２８は、熱媒体１４の通路が形成されているか否かに応じて、急速充電を許容するか否かを切り換えることができる。制御装置２８は、例えば、ケーブル１２だけが接続されている場合、電池３１の温度調節が不可能である。この場合、電池３１における発熱が比較的少ない通常充電だけを許容するように構成される。言い換えると、制御装置２８は、熱媒体１４の接続が提供されていないとき、急速充電を許容しないように構成される。制御装置２８は、ケーブル１２とケーブル５１５との両方が接続されている場合、電池３１の温度調節が可能である。この場合、電池３１における発熱が比較的多い急速充電を許容するように構成される。
【００５１】
他の実施形態
この明細書および図面等における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００５２】
明細書および図面等における開示は、請求の範囲の記載によって限定されない。明細書および図面等における開示は、請求の範囲に記載された技術的思想を包含し、さらに請求の範囲に記載された技術的思想より多様で広範な技術的思想に及んでいる。よって、請求の範囲の記載に拘束されることなく、明細書および図面等の開示から、多様な技術的思想を抽出することができる。
【符号の説明】
【００５３】
１  充電システム、  ２  地上設備、  ３  電動機器、
１１  充電ポスト、  １２  ケーブル、  １３  コネクタ、
１４  熱媒体、  ２１  電力回路、  ２２  熱機器、
２３  媒体通路、  ２４  リザーバ、  ２５  ポンプ、
２６、２７  熱交換器、  ２８  制御装置、
３１  電池、  ３２  充電回路、  ３３  機器通路、
４０  冷凍サイクル、  ４１  循環通路、  ４２  利用側熱交換器、
４３  非利用側熱交換器、  ４４  圧縮機、
５０  地熱機器、  ５１  地下熱交換器、  ５２  バイパス弁、
２５０  地熱機器、
３６１  蛇口、  ３６２  電磁弁、
４４０  冷凍サイクル、  ４４１  循環通路、
４４２  利用側熱交換器、  ４４４  圧縮機、  ４６３  送風機、
５１５  ケーブル、  ５１６  コネクタ。
【図１】
2020089020.tif 000003
【図２】
2020089020.tif 000004
【図３】
2020089020.tif 000005
【図４】
2020089020.tif 000006
【図５】
2020089020.tif 000007
【図６】
2020089020.tif 000008
【図７】
2020089020.tif 000009